【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
読み出し／書き込みの制御情報が記録された管理領域を含む記録媒体であって、
前記制御情報は、データの書き込み及び／またはデータの読み出しのための前記記録媒体へのアクセスの可能性を判定する第１の互換バージョン情報と、前記第１の互換バージョン情報によって示されるバージョンの範囲内でのデータ書き込みの可能性を判定する第２の互換バージョン情報とを含むことを特徴とする記録媒体。
【請求項２】
前記第１の互換バージョン情報及び前記第２の互換バージョン情報は、前記制御情報内の１バイトの情報に配置されることを特徴とする請求項１に記載の記録媒体。
【請求項３】
前記第１の互換バージョン情報の値は、以前のバージョンの記録媒体と非互換の新しいバージョンの記録媒体に関して増加するように設定されることを特徴とする請求項１に記載の記録媒体。
【請求項４】
前記制御情報は、前記記録媒体のサイズを示すサイズ情報をさらに含むことを特徴とする請求項１に記載の記録媒体。
【請求項５】
前記サイズ情報は、前記記録媒体の直径が１２センチメートルであることを示すことを特徴とする請求項４に記載の記録媒体。
【請求項６】
前記記録媒体は、再生専用光ディスク、書換え可能な光ディスク及び追記型光ディスクのうちの一つであることを特徴とする請求項１に記載の記録媒体。
【請求項７】
前記制御情報は、記録速度を示す記録倍速情報及びデータの書き込み又はデータの読み出しの記録パワーを示す記録パワー情報をさらに含むことを特徴とする請求項１に記載の記録媒体。
【請求項８】
前記制御情報は、前記記録倍速情報又は前記記録パワー情報に関連付けられた制御情報セットのシーケンス番号を含むことを特徴とする請求項７に記載の記録媒体。
【請求項９】
前記第１の互換バージョン情報及び前記第２の互換バージョン情報が記録される前記管理領域は、プレ記録領域であることを特徴とする請求項１に記載の記録媒体。
【請求項１０】
前記プレ記録領域はウォブルタイプで形成されることを特徴とする請求項９に記載の記録媒体。
【請求項１１】
記録媒体の読み出し／書き込み方法であって、
前記方法は、
データの書き込み及び／またはデータの読み出しのための前記記録媒体へのアクセスの可能性を判定する第１の互換バージョン情報と、前記第１の互換バージョン情報によって示されるバージョンの範囲内でのデータの書き込みの可能性を判定する第２の互換バージョン情報とを含むバージョン情報を前記記録媒体から読み出す第１のステップと、
前記バージョン情報に基づいて対応する記録媒体に対するデータの書き込みまたはデータの読み出しが可能であるか否かを判断する第２のステップと
を含み、
前記第１の互換バージョン情報は、前記第２の互換バージョン情報よりも優先的に判断されることを特徴とする方法。
【請求項１２】
前記第１のステップは、前記対応する記録媒体のサイズを示すサイズ情報を前記記録媒体から読み出すステップを含むことを特徴とする請求項１１に記載の方法。
【請求項１３】
前記第２のステップは、
光ピックアップが前記第１の互換バージョン情報に基づいて前記対応する記録媒体にアクセス可能であるか否かを判断する（２−１）ステップと、
前記（２−１）ステップにおける判断の結果、前記光ピックアップが前記対応する記録媒体にアクセス可能である場合に、前記第２の互換バージョン情報に基づいてデータの書き込みの可能性を判断する（２−２）ステップと
を含むことを特徴とする請求項１２に記載の方法。
【請求項１４】
前記方法は、
前記（２−２）ステップにおいて、前記第２の互換バージョン情報に基づいてデータの書き込みが不可能であると判断される場合に、特定の書き込み条件が所定の制御情報に基づいて満足するか否かを判断する第３のステップをさらに含み、
前記第３のステップにおいて、前記特定の記録条件が満足する場合に、データの書き込みが実行されることを特徴とする請求項１３に記載の方法。
【請求項１５】
前記制御情報は、記録パワーパラメータ情報を含むことを特徴とする請求項１４に記載の方法。
【請求項１６】
記録媒体に情報を記録する方法であって、
前記方法は、
データの書き込み及び／またはデータの読み出しのための前記記録媒体へのアクセスの可能性を判定する第１の互換バージョン情報と、前記第１の互換バージョン情報によって示されるバージョンの範囲内でのデータの書き込みの可能性を判定する第２の互換バージョン情報とを含むバージョン情報を規定するステップと、
前記バージョン情報を前記記録媒体に記録するステップと
を含むことを特徴とする方法。
【請求項１７】
対応する記録媒体のサイズを示すサイズ情報を前記記録媒体に記録するステップをさらに含むことを特徴とする請求項１６に記載の方法。
【請求項１８】
前記サイズ情報、前記第１の互換バージョン情報及び前記第２の互換バージョン情報は、１バイトの情報内に記録されることを特徴とする請求項１７に記載の方法。
【請求項１９】
前記サイズ情報、前記第１の互換バージョン情報及び前記第２の互換バージョン情報は、前記１バイトの情報内において各々２ビット、２ビット及び４ビットで表現されることを特徴とする請求項１８に記載の方法。
【請求項２０】
記録媒体に対してデータを書き込み／読み出すための装置であって、
データの書き込み又はデータの読み出しのための前記記録媒体へのアクセスの可能性を判定する第１の互換バージョン情報と、前記第１の互換バージョン情報によって示されるバージョンの範囲内でのデータの書き込みの可能性を判定する第２の互換バージョン情報とを含むバージョン情報を格納するように構成されたメモリと、
前記記録媒体に対してデータを読み書きするように構成された光ピックアップと、
前記メモリ及び前記光ピックアップに動作可能なように接続され、かつ前記メモリから前記バージョン情報を読み出して、読み出されたバージョン情報に基づいて前記記録媒体に対するデータの書き込み又はデータの読み出しが可能か否かを判定するように構成された制御装置と
を備えたことを特徴とする装置。
【請求項２１】
記録媒体の記録再生装置であって、
前記装置は、
前記記録媒体に対してデータを読み書きするように構成された光ピックアップと、
前記光ピックアップに動作可能なように接続され、かつ前記光ピックアップを制御して第１の互換バージョン情報及び第２の互換バージョン情報を含むバージョン情報を前記記録媒体から読み出し、読み出されたバージョン情報に基づいて前記記録媒体からデータを読み出すこと又は前記記録媒体にデータを書き込むことが可能か否かを判定するように構成された制御装置と
を備え、
前記第１の互換バージョン情報は、データの読み出し又はデータの書き込みのための前記記録媒体へのアクセスの可能性を判定する情報であり、
前記第２の互換バージョン情報は、前記第１の互換バージョン情報によって示されるバージョンの範囲内でのデータの書き込みの可能性を判定する情報であることを特徴とする装置。
【請求項２２】
前記判定の結果、前記記録媒体からデータを読み出すこと又は前記記録媒体にデータを書き込むことが可能ではない場合に、前記制御装置は、読み出し／書き込みの互換が不可能であることを示す制御信号を出力することを特徴とする請求項２１に記載の装置。
【請求項２３】
前記制御装置は、
前記光ピックアップが前記第１の互換バージョン情報に基づいて対応する記録媒体へのアクセスが可能であるか否かを判定するように構成され、かつ前記記録媒体へのアクセスが可能である場合に前記第２の互換バージョン情報に基づいて前記記録媒体にデータを書き込むことが可能か否かを判定するように構成されることを特徴とする請求項２１に記載の装置。
【請求項２４】
前記制御装置は、
前記第２の互換バージョン情報に基づいて前記記録媒体にデータを書き込むことが可能ではないと判定された場合に以前のバージョンの所定の制御情報が前記記録媒体に存在するか否かをさらに判定し、前記所定の制御情報が前記記録媒体に存在する場合に前記所定の制御情報に基づいて前記記録媒体にデータを書き込むように構成されることを特徴とする請求項２３に記載の装置。
【請求項２５】
前記制御情報は、記録速度を示す記録倍速情報及びデータを読み書きする記録パワーを示す記録パワー情報をさらに備えることを特徴とする請求項２４に記載の装置。
【請求項２６】
前記制御情報は、前記記録倍速情報または前記記録パワー情報に関連付けられた制御情報セットのシーケンス番号を含むことを特徴とする請求項２５に記載の装置。
【請求項２７】
前記制御装置は、前記光ピックアップを制御して、前記所定の制御情報に含まれる記録パワーパラメータに従って前記記録媒体にデータを書き込むように構成されることを特徴とする請求項２４に記載の装置。
【請求項２８】
前記制御装置は、前記記録媒体のサイズを示すサイズ情報を読み出すようにさらに構成されることを特徴とする請求項２１に記載の装置。
【請求項２９】
前記サイズ情報、前記第１の互換バージョン情報及び前記第２の互換バージョン情報は、１バイトの情報内に記録されることを特徴とする請求項２８に記載の装置。
【請求項３０】
前記サイズ情報、前記第１の互換バージョン情報及び前記第２の互換バージョン情報は、前記１バイトの情報内において各々２ビット、２ビット及び４ビットで表現されることを特徴とする請求項２９に記載の装置。
【請求項３１】
記録媒体に対してデータを読み書きする装置であって、
前記装置は、
前記記録媒体に対してデータを読み書きするように構成された光ピックアップと、
前記光ピックアップに動作可能なように接続され、かつバージョン情報を規定し、前記バージョン情報を前記記録媒体に書き込むように前記光ピックアップを制御するように構成された制御装置と
を備え、
前記バージョン情報は、データの書き込み及び／又はデータの読み出しのための前記記録媒体へのアクセスの可能性を判定する第１の互換バージョン情報と、前記第１の互換バージョン情報によって示されるバージョンの範囲内でのデータの書き込みの可能性を判定する第２の互換バージョン情報とを含むことを特徴とする装置。
【請求項３２】
前記制御装置は、前記記録媒体のサイズを示すサイズ情報をさらに規定し、前記光ピックアップを制御して前記第１の互換バージョン情報及び前記第２の互換バージョン情報に沿って前記サイズ情報を書き込むように構成されることを特徴とする請求項３１に記載の装置。
【請求項３３】
前記制御装置は、前記サイズ情報、前記第１の互換バージョン情報及び前記第２の互換バージョン情報を１バイトの情報内に書き込むように構成されることを特徴とする請求項３２に記載の装置。
【請求項３４】
前記制御装置は、前記サイズ情報、前記第１の互換バージョン情報及び前記第２の互換バージョン情報を、前記１バイトの情報内において各々２ビット、２ビット及び４ビットで表現するように書き込むように構成されることを特徴とする請求項３３に記載の装置。